(57)【要約】      （修正有）【課題】流水の容器外への噴出を回避できるキャンドルライトの噴水デバイスを提供する。【解決手段】キャンドルライトの噴水デバイスは容器１、管路２、ポンプモーター４、第一発光部材５を有する。容器１は収容設置空間１３を有し、管路２は第一管路２１及び第二管路２２を有し、収容設置空間１３中に縦方向に並んで位置し、第一管路２１頂端は封鎖状で底端は開放状で、第二管路２２頂端は開放状で底端は封鎖状である。第二管路２２は第一管路２１より高く、第一管路２１及び第二管路２２は横方向Ｎ上で相互に連通する。第一発光部材５は第二管路２２中に位置する。流体は横方向Ｎ上で第一管路２１から第二管路２２へと流れ、流体の衝撃力を緩和できるため、流体が第二管路２２頂端から流出する際に、衝撃力が大きすぎることによる容器１外への噴出を回避できる。第一発光部材５は第二管路２２中に位置し灯芯の光源を形成するため、キャンドルのリアリティはさらに向上する。【選択図】図１
0003206686.tif 000002
【実用新案登録請求の範囲】
【請求項１】
キャンドルライトの噴水デバイスであって、容器、管路、ポンプモーター、第一発光部材を有し、
前記容器は、側板及び底板を有し、前記側板及び前記底板が取り囲み、収容設置空間を形成し、
前記管路は、第一管路、第二管路を有し、前記第二管路は縦方向に並んで、前記収容設置空間中に位置し、前記第一管路頂端は封鎖状で、底端は開放状で、前記第二管路頂端は開放状で、底端は封鎖状で、しかも前記第二管路は、前記第一管路より高く、前記第一管路及び前記第二管路は、横方向上で相互に連通し、
前記ポンプモーターは、前記収容設置空間と前記第一管路底端に連通し、
前記第一発光部材は、前記第二管路中に位置することを特徴とするキャンドルライトの噴水デバイス。
【請求項２】
前記容器の底板には、内面、及び前記内面に対応した外面を有し、前記底板の外面に設置される第二発光部材を有することを特徴とする請求項１に記載のキャンドルライトの噴水デバイス。
【請求項３】
パワーサプライユニットを有し、
前記パワーサプライユニットは、前記第一発光部材及び前記ポンプモーターに電気的に連接することを特徴とする請求項１に記載のキャンドルライトの噴水デバイス。
【請求項４】
外筒を有し、
前記パワーサプライユニットは、前記外筒内に設置され、前記容器は、前記外筒内に設置され、前記パワーサプライユニット上方に位置することを特徴とする請求項３に記載のキャンドルライトの噴水デバイス。
【請求項５】
前記パワーサプライユニットには、タイマーを設置することを特徴とする請求項３に記載のキャンドルライトの噴水デバイス。
【請求項６】
前記収容設置空間内には、流体を充填し、
前記流体中には、エッセンシャルオイルを混合することを特徴とする請求項１に記載のキャンドルライトの噴水デバイス。
【請求項７】
前記第二管路頂端は、前記浅い皿に連接することを特徴とする請求項１に記載のキャンドルライトの噴水デバイス。
【請求項８】
前記浅い皿上方に火炎形状の外殻を有し、前記第二管路に対応することを特徴とする請求項７に記載のキャンドルライトの噴水デバイス。
【考案の詳細な説明】
【技術分野】
【０００１】
本考案はキャンドルライトの噴水デバイスに関し、特に流体が管路中で流動する際に、第一管路と第二管路が横方向に連通することで、流体の衝撃力を和らげ、流体の容器外への噴出を回避できるキャンドルライトの噴水デバイスに関する。
【背景技術】
【０００２】
かつて、ろうそくは照明として用いられていたが、近年ではテーブルランプ、展示ライトなどの生活に彩りを添える設備として用いられている。しかも、今ではろうそくは火をつけて燃やさなくとも使用できる。つまり、ＬＥＤランプ等の発光部材を、キャンドルの外観を持つ外殼に取り付けることで、キャンドルとしての効果を発揮している。これにより、環境にやさしい他、コスト削減も達成でき、これらは無炎キャンドルを呼ばれている。
【０００３】
無炎キャンドルの構造は、特許文献１「Ｆｌａｍｅｌｅｓｓ  Ｃａｎｄｌｅ  ｗｉｔｈ  Ｉｎｔｅｇｒａｔｅｄ  Ｆｏｕｎｔａｉｎ」に示す通り、発光部材の発光を利用し、光線が流動する水を通過することで、光の変化を表現している。
【０００４】
しかし、上記の特許文献１に示す構造は、小型モーターを使用するため、水流が開口を通って流出する時、その衝撃が大きければ、水流が容器外に噴出する恐れがある。この現象を回避するため、通常はバルブスイッチにより水の流速をコントロールしている。しかし、これではコストの拡大につながり、しかもキャンドルの炎の輝度を高くできる光源を設置できない。
【先行技術文献】
【特許文献】
【０００５】
【特許文献１】米国特許第ＵＳ２０１３０２２３０４３号明細書
【考案の概要】
【考案が解決しようとする課題】
【０００６】
本考案の目的は、バルブスイッチを増設しなくとも、水流が出口から流出する際に噴出しないキャンドルライトの噴水デバイスに関する。
【課題を解決するための手段】
【０００７】
上記目的を達成するために、本考案によるキャンドルライトの噴水デバイスは、容器、管路、ポンプモーター、第一発光部材を有する。
該容器は、側板及び底板を有し、該側板及び該底板が取り囲み収容設置空間を形成する。
該管路は、第一管路、第二管路を有し、該第二管路は縦方向に並んで、該収容設置空間中に位置し、該第一管路頂端は封鎖状で、底端は開放状で、該第二管路頂端は開放状で、底端は封鎖状である。しかも、該第二管路は、該第一管路より高く、該第一管路及び該第二管路は、横方向上で相互に連通する。
該ポンプモーターは、該収容設置空間と該第一管路底端に連通する。
該第一発光部材は、該第二管路中に位置する。
【０００８】
本考案によるキャンドルライトの噴水デバイスはさらに、該容器の底板に、内面、及び該内面に対応した外面を有し、さらに該底板の外面に設置される第二発光部材を有する。
【０００９】
本考案によるキャンドルライトの噴水デバイスはさらに、パワーサプライユニットを有し、該パワーサプライユニットは、該第一発光部材及び該ポンプモーターに電気的に連接する。
【００１０】
本考案によるキャンドルライトの噴水デバイスはさらに、外筒を有し、該パワーサプライユニットは、該外筒内に設置され、該容器は、該外筒内に設置され、該パワーサプライユニット上方に位置する。
【００１１】
本考案によるキャンドルライトの噴水デバイスはさらに、該パワーサプライユニットには、タイマーを設置する。
【００１２】
本考案によるキャンドルライトの噴水デバイスはさらに、該収容設置空間内に、流体を充填し、該流体中には、エッセンシャルオイルを混合する。
【００１３】
本考案によるキャンドルライトの噴水デバイスはさらに、該第二管路頂端は、浅い皿に連接する。
【００１４】
本考案によるキャンドルライトの噴水デバイスはさらに、該浅い皿上方に火炎形状の外殻を有し、該第二管路に対応する。
【考案の効果】
【００１５】
本考案の効果は以下の通りである。
１．流体は横方向上において第一管路から第二管路へと流れるため、流体の衝撃力を緩和でき、こうして流体が第二管路頂端から流出する際に、衝撃力が大き過ぎることによる、容器外への噴出を回避できる。よって、本考案はバルブスイッチの増設が不要で、製造コストを削減できる。
２．第一発光部材は第二管路中に位置するため、灯芯の光源を形成でき、灯芯の光源が集中し輝度が高い光を形成することができ、キャンドルのリアリティはさらに向上する。
３．使用する流体（水など）中にはエッセンシャルオイルを加えることができ、これにより本考案は視覚で楽しめるだけでなく、嗅覚の楽しさも味わうことができる。
【図面の簡単な説明】
【００１６】
【図１】本考案第一実施形態の構造模式図である。
【図２】図１の局部拡大図である。
【図３】本考案第一実施形態の使用状態図である。
【図４】図３の局部拡大図である。
【図５】本考案第二実施形態の使用状態図である。
【考案を実施するための形態】
【００１７】
本考案の技術内容、構造特徴、達成する目的を詳細に説明するため、以下に実施例を挙げ並びに図面を組み合わせて説明する。
【００１８】
本考案の第一実施形態は、図１、図２に示す通り、容器１、管路２、浅い皿３、ポンプモーター４、第一発光部材５、第二発光部材６、パワーサプライユニット７、外筒８を有する。
容器１は、光透過材質或いは透明材質により製造され、容器１は、側板１１、底板１２を有する。側板１１、底板１２が取り囲み、収容設置空間１３を形成する。さらに、底板１２は、内面１２１、外面１２２を有し、内面１２１は、収容設置空間１３に対面し、外面１２２は内面１２１に対応する。
管路２は、第一管路２１、第二管路２２を有し、第二管路２２は縦方向に並んで、収容設置空間１３中に位置する。第一管路２１頂端は封鎖状で、底端は開放状である。第二管路２２頂端は開放状で、底端は封鎖状である。しかも、第二管路２２は、第一管路２１より高く、第一管路２１、第二管路２２は、横方向Ｎ上で相互に連通する。
【００１９】
浅い皿３は、第二管路２２頂端に連接する。
ポンプモーター４は、収容設置空間１３と第一管路２１底端に連通する。
第一発光部材５は、第二管路２２内部に位置する。
第二発光部材６は、底板１２の外面１２２に設置される。
パワーサプライユニット７は、第一発光部材５、第二発光部材６、ポンプモーター４に電気的に連接し、第一発光部材５、第二発光部材６、ポンプモーター４に給電する。本実施形態中では、パワーサプライユニット７には、タイマー７１を設置する。
外筒８は、光透過材質或いは透明材質により製造される。パワーサプライユニット７は、外筒８内に設置され、容器１は、外筒８内に設置され、パワーサプライユニット７上方に位置する。
【００２０】
図３、図４に示す通り、収容設置空間１３内に、水などの流体９を注ぐ。流体９中には好ましくは、エッセンシャルオイルを混合し、使用時に香りを加える。
使用時には、パワーサプライユニット７をオンにすると、第一発光部材５と第二発光部材６は発光する。同時に、ポンプモーター４を起動すると、ポンプモーター４は、収容設置空間１３内から、流体９を吸入し第一管路２１中へ送り込む。流体９はさらに、横方向Ｎ上において、第一管路２１中から第二管路２２へと流れ、第二管路２２頂端から流出し、浅い皿３周縁から収容設置空間１３へと流入する。
これと同時に、第一発光部材５と第二発光部材６の光線は、流体９を通過し、光が揺らめく視覚効果を形成する。流体９の衝撃力により、第二管路２２頂端において、灯芯に似た突起を形成する。第一発光部材５は第二管路２２内部に位置するため、灯芯の光源を形成でき、灯芯の光源が集中し輝度が高い光を形成することができる。浅い皿３に流体９の一部を残すことで、蝋が溶けたような視覚効果を表現でき、本考案キャンドルのリアリティはさらに向上する。
【００２１】
流体９は、横方向Ｎ上で、第一管路２１中から第二管路２２へと流れるため、流体９の衝撃力を緩和でき、こうして流体９が第二管路２２頂端から流出する際に、衝撃力が大き過ぎることによる、容器１外への噴出を回避できる。パワーサプライユニット７のタイマー７１により運転時間を設定でき、使用に便利である。
【００２２】
図５に示す通り、本考案第二実施形態の第一実施形態との差異は以下の通りである。
本実施形態はさらに浅い皿３上方に火炎形状の外殼１０を有し、第二管路２２に対応する。火炎形状の外殼１０により、本考案の外観形態は、キャンドルにより近似する。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２４】
１  容器
１１  側板
１２  底板
１２１  内面
１２２  外面
１３  収容設置空間
２  管路
２１  第一管路
２２  第二管路
３  浅い皿
４  ポンプモーター
５  第一発光部材
６  第二発光部材
７  パワーサプライユニット
７１  タイマー
８  外筒
９  流体
１０  外殼
Ｎ  横方向
【図１】
0003206686.tif 000003
【図２】
0003206686.tif 000004
【図３】
0003206686.tif 000005
【図４】
0003206686.tif 000006
【図５】
0003206686.tif 000007